(57)【特許請求の範囲】
【請求項１】
複数のスリットをスリットの長手方向の略直角方向に並べて設けられ、人の頭部の重量を後頭部または首に当接して支えるための支持部と、
前記複数のスリットの下方より突出し、前記人の後頭部または首に接触する複数の接触子を有する摺動部と、
上部に固定された前記摺動部を、前記複数の接触子が前記スリットの長手方向に往復移動するように揺動させる駆動部と、
前記駆動部を鉛直方向に可動自在に支持するガイド部と、
前記ガイド部が上面に固定されたベース部と、
前記ベース部に固定して前記支持部の両端部を下方より支えるフレーム部と、
前記駆動部を前記ベース部に対して弾性支持する弾性部と、を備えた、
後頭部支持体。
【請求項２】
前記接触子が弾性体である、
請求項１に記載の後頭部支持体。
【請求項３】
前記接触子は、前記スリットからの突出方向を法線とする断面において、前記スリットの長手方向に直交する方向のバネ定数が前記スリットの長手方向より大きい、
請求項２に記載の後頭部支持体。
【請求項４】
前記接触子は、前記スリットからの突出方向を法線とする断面において、前記スリットの長手方向に直交する方向の幅が前記長手方向の幅より広い、
請求項２に記載の後頭部支持体。
【請求項５】
前記接触子のバネ定数をＫ１とし前記弾性部のバネ定数をＫ２とした場合、Ｋ２がＫ１より大きい、
請求項２に記載の後頭部支持体。
【請求項６】
前記スリットの長手方向の略直角方向において、前記支持部が凹形状である、
請求項１〜５のいずれか１項に記載の後頭部支持体。
【請求項７】
前記スリットの長手方向において、前記支持部の断面が曲線状である、
請求項１〜６のいずれか１項に記載の後頭部支持体。
【請求項８】
前記スリットの長手方向の略直角方向において、前記摺動部が凹形状であり、
前記複数の接触子は、前記スリットからの突出方向の長さが同一である、
請求項１〜７のいずれか１項に記載の後頭部支持体。
【請求項９】
前記弾性部が自然長より短くなる位置で当接することで前記駆動部の上方への移動を止める係止部を備えた、
請求項１〜８のいずれか１項に記載の後頭部支持体。
【請求項１０】
前記駆動部と、ガイド部と、前記弾性部と、前記摺動部と前記ベース部の間の空間とを覆う防水カバーを備えた、
請求項１〜９のいずれか１項に記載の後頭部支持体。
【請求項１１】
前記ベース部の下部に固定された伸縮部および前記伸縮部を上面に固定した基台部を有すると共に、鉛直方向に伸縮する高さ調整台を備えた、
請求項１〜１０のいずれか１項に記載の後頭部支持体。
【請求項１２】
前記摺動部と前記基台部の間の空間を覆う防水カバーと、
前記防水カバーに覆われ、前記ベース部に固定した中心にネジ穴を有する突出部と、
前記防水カバーの貫通穴より突出した前記突出部に固定する固定ナットと、
前記フレーム部の取付け穴を介して前記ネジ穴に固定する固定ネジと、を備え、
前記防水カバーは、前記ベース部および前記固定ナットの間で挟まれ、
前記フレーム部は、前記突出部および前記固定ネジとの間で挟まれた、
請求項１１に記載の後頭部支持体。
【請求項１３】
請求項１〜１２のいずれか１項に記載の後頭部支持体を用いた、
自動洗髪装置。
【発明の詳細な説明】
【技術分野】
【０００１】
本発明は、医療や美容などの分野において頭皮マッサージや頭髪洗浄の際、人の後頭部や首を支える後頭部支持体、および、これを用いた自動洗髪装置に関する。
【背景技術】
【０００２】
医療や美容などの分野において、洗髪する時など、人の頭部を仰向けにする際、頭の重量を作業者の手で支えることがある。このように頭の重量を作業者の手で支えることは多大な労力を必要とするため、作業中に頭を支える後頭部支持体が必要となる。
【０００３】
従来より、洗髪機に後頭部支持体を設け、この後頭部支持体で被洗髪者の後頭部または首を支えることが行われている。しかし、髪や頭部に温水を自動噴射して洗髪を行う自動洗髪機に後頭部支持体を設けると、頭部を支える箇所は、噴射する温水が当たらないために美容師などが付属のハンドシャワーを用いて、手洗いをしなければならない。そこで、頭部を支える箇所であっても噴射する温水が当たるようにした自動洗髪機が提案されている。
【０００４】
図１３は、従来の自動洗髪機の洗髪時におけるシンク１の簡略化された断面図である。従来の自動洗髪機は、被洗髪者が頭部を仰向けに挿入できるように上部が開口されたシンク１と、このシンク１内で被洗髪者の髪および頭部に温水を噴射する下ノズルリンク２と、後頭部を支える支持体４とを有する。支持体４は、シンク１に係止されて、被洗髪者の襟首の根元付近を支持する。
【０００５】
後頭部の洗浄が行えるように支持体４は中央に通水口５を有し、下ノズルリンク２を揺動および回動することによりノズル６から噴射される洗浄水によって被洗髪者の襟首部を洗浄する（例えば、特許文献１を参照）。
【先行技術文献】
【特許文献】
【０００６】
【特許文献１】特開平１０−２９５４３４号公報
【発明の概要】
【発明が解決しようとする課題】
【０００７】
しかし、従来の自動洗髪機の支持体４は、ノズル６より噴射する水を後頭部に当てて水圧移動により洗浄しているが、手洗いで行うように後頭部を擦って洗浄することができない。そのため、水圧移動による洗浄は後頭部に対する摩擦がなく、手洗いのように指の腹を使って後頭部に摩擦を与えて擦ることができない。よって、水の噴射による洗浄では手洗いのように頭髪を洗浄することはできない。
【０００８】
本発明は、後頭部または首を支えると共に摩擦を与えて擦ることのできる後頭部支持体、および、これを用いた自動洗髪装置を提供することを目的とする。
【課題を解決するための手段】
【０００９】
上記目的を達成するために、本発明の後頭部支持体は、複数のスリットをスリットの長手方向の略直角方向に並べて設けられ、人の頭部の重量を後頭部または首に当接して支えるための支持部と、前記複数のスリットの下方より突出し、前記人の後頭部または首に接触する複数の接触子を有する摺動部と、上部に固定された前記摺動部を、前記複数の接触子が前記スリットの長手方向に往復移動するように揺動させる駆動部と、前記駆動部を鉛直方向に可動自在に支持するガイド部と、前記ガイド部が上面に固定されたベース部と、前記ベース部に固定して前記支持部の両端部を下方より支えるフレーム部と、前記駆動部を前記ベース部に対して弾性支持する弾性部と、を備えた構成である。
【発明の効果】
【００１０】
本発明は、後頭部または首を支えるとともに摩擦を与えて擦るので、手洗いのように頭髪を洗浄することができる。
【図面の簡単な説明】
【００１１】
【図１】本発明の実施の形態１における後頭部支持体を示す図であり、（ａ）後頭部支持体の斜視図、（ｂ）後頭部支持体の概略断面図
【図２】本実施の形態１における自動洗髪装置の斜視図
【図３】本実施の形態１における頭部を載せた状態の後頭部支持体の要部断面図
【図４】本実施の形態１における接触子の斜視図
【図５】本実施の形態１における弾性部と接触子とのバネ定数の関係を説明する図であり、（ａ）バネ定数がＫ１＜Ｋ２である接触子と弾性部を示す図、（ｂ）バネ定数がＫ１＞Ｋ２である接触子と弾性部を示す図
【図６】本実施の形態１における後頭部支持体の接触子を後頭部に接触した状態を説明する摺動部の概略図
【図７】本実施の形態１における後頭部支持体の上面図
【図８】本発明の実施の形態２における後頭部支持体の概略断面図
【図９】本発明の実施の形態３における後頭部支持体の概略断面図であり、（ａ）頭部を載せていない状態の概略断面図、（ｂ）頭部を載せた状態の概略断面図
【図１０】本実施の形態３における後頭部支持体の復元力Ｆと変位ｄの関係を示す図
【図１１】本発明の実施の形態４における後頭部支持体の側面図
【図１２】本実施の形態４における後頭部支持体を示す図であり、（ａ）概略断面図、（ｂ）要部断面図
【図１３】従来の自動洗髪機の洗髪時におけるシンクの簡略化された断面図
【発明を実施するための形態】
【００１２】
以下、本発明の実施の形態について、図面を参照しながら説明する。なお、同じ構成要素には同じ符号を付しており、説明を省略する場合もある。また、図面は理解しやすくするために、それぞれの構成要素を主体に模式的に示している。
【００１３】
（実施の形態１）
図１（ａ）、（ｂ）は、本発明の実施の形態１における後頭部支持体を示す図である。図１（ａ）は後頭部支持体の斜視図であり、図１（ｂ）は後頭部支持体の概略断面図である。
【００１４】
図１（ａ）、（ｂ）に示すように、本実施の形態１における、後頭部支持体１１は、支持部１２と、摺動部１３と、駆動部１４と、ガイド部１５と、ベース部１６と、フレーム部１７と、弾性部１８と、を備える。そして、摺動部１３の接触子２１で支持部１２に載せた人の頭部の後頭部または首に摩擦を与えて、指の腹を使うように擦ることができる。
【００１５】
そのために、支持部１２は、複数のスリット２２をスリット２２の長手方向（矢印Ａ１、Ａ２）の略直角方向（矢印Ｂ）に並べて中央部に設けると共に、人の頭部の重量を後頭部または首に当接させて支える。また、摺動部１３は、複数のスリット２２の下方より突出した複数の接触子２１を有する。この複数の接触子２１は、支持部１２で支えられる後頭部または首に接触する。
【００１６】
また、駆動部１４の上部には、摺動部１３が固定されている。駆動部１４は、可動端２３と固定端２４とを有する。そして、摺動部１３を固定した可動端２３はモータおよびギア（図示せず）を内蔵し、回動自在に連結した固定端２４に対して揺動する。また、ガイド部１５は、駆動部１４を鉛直方向に可動自在に下方より支持するために、鉛直方向に伸縮する。また、ベース部１６の上面には、ガイド部１５が固定されている。
【００１７】
また、フレーム部１７は、ベース部１６に固定されて支持部１２の両端部を下方より支える。なお、フレーム部１７は、アルミ、ステンレス等の剛体よりなる。弾性部１８は、バネ部材よりなり、駆動部１４をベース部１６に対して弾性支持する。なお、駆動部１４をベース部１６に対して弾性支持するとは、駆動部１４とベース部１６との間に弾性部１８を挟むことに限らない。駆動部１４をベース部１６に対して弾性支持する方法としては、本実施の形態１に示すガイド部１５のように、ガイド部１５の固定部と駆動部１４との間に弾性部１８を挟む方法や、ガイド部１５の中に弾性部１８を設けて、駆動部１４をベース部１６で弾性支持する方法もある。また、図１（ｂ）に示す弾性部１８は、コイル状のバネ部材に代えてつりバネを利用してもよい。
【００１８】
そして、駆動部１４は、摺動部１３を揺動させて、複数の接触子２１がスリット２２の長手方向に往復移動するように動作させる。
【００１９】
この構成により、人の頭部を支持部１２に載せた際、人の後頭部または首に接触子２１が当り、摺動部１３に下方へ向かう力が加わる。そして、この力により弾性変形した後、弾性部１８は、その弾性変形によって生じる弾性復元力で、下方より上方へ向かう力を発生させる。摺動部１３は、この弾性力により押し上げられると共に、駆動部１４の動きに連動して接触子２１を往復移動させる。よって、接触子２１で後頭部または首に摩擦を与えて指の腹を使うように擦ることができ、後頭部支持体１１は後頭部または首を支えると共に摩擦を与えて擦ることができる。
【００２０】
このように、後頭部支持体１１は、後頭部または首を支えると共に、摩擦を与えて擦ることができる。詳細は後述するが、この後頭部支持体１１を自動洗髪装置に用いると、手洗いで行なうように高い洗浄力で後頭部または首の頭髪を洗浄するこができる。また、摩擦を与えて擦ることができるため、高い洗浄力が得られる以外にも頭皮マッサージを行える。
【００２１】
また、本実施の形態１の後頭部支持体１１は、接触子２１を弾性体とした構成である。接触子２１は、ウレタンゴム、シリコンゴム等の樹脂やゴムよりなる。この構成により、後頭部また首に接触子２１を接触させる際、接触子２１は先端を曲げて後頭部または首に沿うように接触するので、より接触子２１と後頭部または首との密着を増して、後頭部または首に対する摩擦力を高めることができる。また、接触子２１は先端を曲げて後頭部または首に沿うように接触するので、後頭部または首に対する接触圧力を分散させ、頭の載せ心地を良くすることができる。
【００２２】
また、後頭部支持体１１は、スリットの長手方向の略直角方向（矢印Ｂ）において、支持部１２を凹形状とした構成である。具体的には、鉛直方向の断面（矢印Ｃ１−Ｃ２の切断面）を凹形状とした構成である。矢印Ｂの方向において、後頭部支持体１１の凹みは曲率半径Ｒを７０ｍｍ〜１００ｍｍとする。被洗髪者の肩幅の方向における後頭部の形状と後頭部支持体１１の凹みとを、同程度の曲率半径とするためである。また、支持部１２は、硬質プラスチック、ポリプロピレン、塩化ビニル等からなる。
【００２３】
この構成により、後頭部または首と支持部の接触面積が増え、頭部の重量を分散して支えるので、頭の載せ心地を良くすることができる。
【００２４】
また、支持部１２は、スリット２２の長手方向において、その断面を曲線状とした構成である。スリット２２の長手方向において、後頭部支持体１１は曲率半径Ｒを１００ｍｍ〜１２０ｍｍとしている。これは、被洗髪者の身長方向における後頭部の形状と後頭部支持体１１とを、同程度の曲率半径とするためである。
【００２５】
この構成により、後頭部または首と支持部の接触面積が増え、頭部の重量を分散して支えるので頭の載せ心地を良くすることができる。なぜならば、後頭部および首の後ろ側の形状は、身長方向において内側へ凹んだ曲線状であるためである。
【００２６】
また、後頭部支持体１１は、摺動部１３とベース部１６の間の空間を覆う防水カバー２５を備え、防水カバー２５によって、駆動部１４と、ガイド部１５と、弾性部１８を覆う構成である。防水カバー２５を蛇腹構造とすることで、伸縮可能であると共に、駆動部１４を揺動させても防水カバー２５により動きが妨げられない構造としている。
【００２７】
この構成により、駆動部１４と、ガイド部１５と、弾性部１８に水が付着することを防ぎ、水を使う環境においても使用することができる。具体的には、後頭部支持体１１を後頭部洗浄装置として、自動洗髪装置や洗髪槽に用いることができる。
【００２８】
次に、後頭部支持体１１を用いた自動洗髪装置について、詳細を説明する。
【００２９】
図２は、本実施の形態１における自動洗髪装置３０の斜視図である。自動洗髪装置３０は、被洗髪者の頭部を支えるために後頭部支持体１１を用いることで、後頭部または首を支えると共に、手洗いのように高い洗浄力で後頭部または首の頭髪を洗浄することができる。
【００３０】
自動洗髪装置３０は、人の頭部の後頭部側を包み込む様に構成された洗髪槽３１と、スイング回動および頭部への押圧が可能な一対のアーム３２と、一対のアーム３２に取り付けられた複数の接触部３３と、複数のノズル３５を有する回動パイプ３４と、を有する。そして、洗髪対象である人の頭部を洗髪槽３１に載せて、一対のアーム３２をスイング回動させながらノズル３５から水または湯を噴出する。
【００３１】
まず、頭部に水または湯をかけて水洗いを行なう。その後、一対のアーム３２を回転軸３６中心にスイング回動させながらノズル３５から洗浄水を噴出して、頭部に洗浄液をかけシャンプーを行う。さらに、一対のアーム３２を頭部に押圧させると共に複数の接触部３３を動かし、さらに、一対のアーム３２をスイング回動させて頭部を擦ることで、頭部を洗浄すると共に頭皮をマッサージする。
【００３２】
また、頭部を洗髪槽３１に載せる際、洗髪槽３１の底面に設けた後頭部支持体１１に後頭部または首を当接させて、頭部を支える。
【００３３】
上述したように、後頭部支持体１１は、頭部を支えるだけでなく、接触子２１を往復移動させて後頭部を擦るためのものである。この時、後頭部支持体１１の両側に設けた多関節パイプ３８のノズルより洗浄液を支持部１２へ噴出させる。すると、後頭部は洗浄液が塗布された状態となり、接触子２１が後頭部を擦ることで、後頭部の頭皮および髪が揉み洗いされる。
【００３４】
また、多関節パイプ３８は、外部より力が加わると、形状が変形するものを用いている。よって、作業者は、被洗髪者の後頭部に洗浄液が適切に噴出されるように、被洗髪者の頭部に合わせて多関節パイプ３８の形状を変形することができる。なお、多関節パイプ３８は、後頭部が揉み洗われた後、温水または水を噴出して洗浄液を洗い流すためのものである。
【００３５】
なお、洗髪槽３１の側面部に設けた人の首を通すための凹部３７がスリット２２の長手方向（矢印Ａ１、Ａ２）に位置するように後頭部支持体１１を設置している。
【００３６】
この構成とすることで、人体の身長方向に接触子２１を往復移動させることができるので、肩幅方向より身長方向の後頭部の起伏が少なく、一定の力で複数の接触子２１で後頭部を押すことができる。
【００３７】
次に、後頭部を洗浄する際の後頭部支持体１１について詳細を説明する。
【００３８】
図３は、本実施の形態１における頭部４１を載せた状態の後頭部支持体１１の要部断面図である。
【００３９】
図３に示すように、頭部４１を後頭部支持体１１に載せると、頭部４１は接触子２１ａ、２１ｂ、２１ｃおよび支持部１２に接触すると共に、それらに支えられる。
【００４０】
また、接触子２１ａ、２１ｂ、２１ｃを有する摺動部１３は、頭部４１の重量を、駆動部１４を介して弾性部１８へ伝える。弾性部１８は、頭部４１の重量により発生する力により弾性変形した後、その弾性変形によって生じる弾性復元力で駆動部１４を下方より上方（矢印Ｃの方向）へ押し上げる。駆動部１４が上方へ押し上げられることにより、接触子２１ａ、２１ｂ、２１ｃは頭部４１に下方より上方へ向かう力で押し付けられる。
【００４１】
そして、接触子２１ａ、２１ｂ、２１ｃが頭部４１に下方より上方へ向かう力で押し付けられた状態で、駆動部１４を揺動させると、接触子２１はスリット２２の方向に往復移動する。そして、指の腹を使うように接触子２１で後頭部または首に摩擦を与えて擦ることができる。
【００４２】
図４は、本実施の形態１の接触子２１の斜視図である。図４に示すように接触子２１の寸法は、幅が５ｍｍ〜８ｍｍ、厚みが２ｍｍ〜３ｍｍ、長さが２０ｍｍである。また、接触子２１の厚みは、末端よりも先端の方が細い。頭部に対して柔らかく当接するように接触子２１の先端は曲面であり、曲率半径ｒは２．５ｍｍ〜５ｍｍである。
【００４３】
なお、接触子２１は樹脂体よりなる弾性体であるために、頭部４１の形状に沿って動かすと共に、弾性変形によって生じる弾性復元力で頭部４１をさら押し上げて摩擦を与えて擦ることができる。
【００４４】
ただし、接触子２１のバネ定数をＫ１、弾性部１８のバネ定数をＫ２とした場合、Ｋ１よりＫ２を大きくした構成とする。具体的には、Ｋ１は１０ｇｆ／ｍｍであり、Ｋ２は５０ｇｆ／ｍｍである。Ｋ１とＫ２の比は１対５の関係としている。この構成により、弾性部１８が振動したとしても接触子２１でその振動を吸収するため、頭部の載せ心地を良くすることができる。もしも、弾性部１８のバネ定数Ｋ２が弾性部１８のバネ定数Ｋ１よりも大きいと、接触子２１で弾性部１８の振動を吸収することができず、頭部へ弾性部１８の振動を伝えてしまう。この理由については、次に詳細な説明を行なう。
【００４５】
図５（ａ）、図５（ｂ）、は、弾性部１８と接触子２１とのバネ定数の関係を説明する図である。図５（ａ）は、バネ定数がＫ１＜Ｋ２である接触子２１と弾性部１８を示す図、図５（ｂ）は、バネ定数がＫ１＞Ｋ２である接触子２１と弾性部１８を示す図である。
【００４６】
例えば、後頭部支持体１１に被洗髪者の頭を載せると、瞬間的に後頭部支持体１１に頭の重さが加わることで、弾性部１８が振動してしまうことがある。
【００４７】
図５（ａ）に示すように、バネ定数がＫ１＜Ｋ２であると、弾性部１８の振動が接触子２１に加わっても、接触子２１がその復元力で吸収する。一方、バネ定数がＫ１＞Ｋ２であると、接触子２１がその振動を充分に吸収しないため、弾性部１８の振動が接触子２１を介して頭部４１に加わる。そのため、接触子２１は頭部４１を突き刺すように振動する。そのため、バネ定数がＫ１＞Ｋ２では、被洗髪者は不快感を得ることになる。
【００４８】
図６（ａ）、（ｂ）、（ｃ）、（ｄ）、（ｅ）、（ｆ）は本実施の形態１における後頭部支持体１１の接触子２１を後頭部に接触した状態を説明する摺動部１３の概略図である。
【００４９】
図６（ａ）、（ｂ）、（ｃ）、（ｄ）、（ｅ）、（ｆ）を用いて、駆動部１４を揺動させた際の摺動部１３の動きについて説明する。
【００５０】
図６（ａ）は、第１の状態にある摺動部１３ａの概略図である。図６（ａ）に示すように、摺動部１３ａは頭部４１の後頭部側面４２に接触子２１が当接している状態において、接触子２１は、後頭部側面４２に沿って折れ曲がり、後頭部側面４２を第１側面２７に当接する。その後、摺動部１３ａを矢印Ａ１の方向へ移動させる。
【００５１】
図６（ｂ）は、第１の状態の後、第２の状態にある摺動部１３ｂの概略図である。摺動部１３ｂは、摺動部１３ａより矢印Ａ１の方向へ少し移動した状態である。摺動部１３を第１の状態より第２の状態にする際、接触子２１は後頭部側面４２に摩擦を与えて擦る。
【００５２】
図６（ｃ）は、第２の状態の後、第３の状態にある摺動部１３ｃの概略図である。第２の状態から第３の状態になる際、摺動部１３ｃは、移動方向を矢印Ａ１より矢印Ａ２に変化する。この時、摺動部１３ｃの基底部２６は、摺動部１３ｂの基底部２６よりも矢印Ａ２へ移動する。一方、接触子２１は、先端を後頭部側面４２に当接しているため、先端の位置はあまり動かず基底部２６との結合箇所である末端が矢印Ａ２の方向へ移動する。このように摺動部１３の移動方向を変える時（反転時）、一方に折れ曲がっていた接触子２１は、他方に折れ曲がろうとするために、図６（ｃ）に示すように直立に近いＳ字形状となる。このように接触子２１が直立状態となると、接触子２１は突出方向に硬くなってしまう。
【００５３】
なぜならば、摺動部１３ｃにおいて、接触子２１は座屈しておらず、後頭部側面４２より接触子２１に加わる力は接触子２１を長手方向に圧縮させる力である。一方、図６（ａ）、図６（ｂ）に示すように、摺動部１３ａ、１３ｂにおいて、接触子２１は座屈しており、後頭部側面４２より接触子２１に加わる力は接触子２１を曲げる力である。接触子２１は、曲げられるより圧縮される方が大きな外力を必要とするために、直立に近いＳ字形状の接触子２１は、座屈してしまった接触子２１よりも硬くなる。
【００５４】
ただし、接触子２１が反転時に硬くなっても、摺動部１３は弾性部１８で弾性支持されているため、摺動部１３ｃを一時的に下方へ下げて、頭部を柔軟に支えることができる。
【００５５】
図６（ｄ）は、第３の状態の後、第４の状態にある摺動部１３ｄの概略図である。摺動部１３ｄは、摺動部１３ｃより矢印Ａ２の方向へ少し移動した状態である。摺動部１３を第３の状態より第４の状態にする際、摺動部１３は接触子２１の後頭部側面４２を第２側面２９に当接させて摩擦を与えて擦る。この時、接触子２１は、直立しておらず弾性を有し、後頭部側面４２に沿って折れ曲がる。
【００５６】
図６（ｅ）は、第４の状態の後、第５の状態にある摺動部１３ｅの概略図である。摺動部１３ｅは、摺動部１３ｄより矢印Ａ２の方向へ少し移動した状態である。摺動部１３を第４の状態より第５の状態にする際、接触子２１は後頭部側面４２に摩擦を与えて擦る。
【００５７】
図６（ｆ）は、第５の状態の後、第６の状態にある摺動部１３ｆの概略図である。第６の状態にある摺動部１３ｆは、移動方向を矢印Ａ２より矢印Ａ１に変える。この時、摺動部１３ｆの基底部２６は、摺動部１３ｅの基底部２６よりも矢印Ａ１へ移動する。一方、接触子２１は、先端を後頭部側面４２に当接しているため、先端の位置はあまり動かず基底部２６との結合箇所である末端が矢印Ａ２の方向へ移動する。このように摺動部１３の移動方向を変える時（反転時）、一方に折れ曲がっていた接触子２１は、他方に折れ曲がろうとするために、図６（ｆ）に示すように直立に近いＳ字形状となる。このように接触子２１が直立状態となると、接触子２１が硬くなってしまう。
【００５８】
ただし、接触子２１が反転時に硬くなっても、摺動部１３は弾性部１８で弾性支持されているため、摺動部１３ｆを一時的に下方へ下げて、頭部を柔軟に支えることができる。
【００５９】
第６の状態の後、摺動部１３は第１の状態となる。そして、第１の状態より第６の状態を繰り返す。このように摺動部１３が揺動している間、摺動部１３は、図６（ａ）、（ｂ）、（ｃ）、（ｄ）、（ｅ）、（ｆ）に示すように動作して、指の腹を使うように接触子２１で後頭部または首に摩擦を与えて擦ることができ、後頭部支持体１１は後頭部または首を支えるとともに摩擦を与えて擦ることができる。
【００６０】
図７は、本実施の形態１における後頭部支持体１１の上面図である。
【００６１】
図７に示すように、スリット２２より突出する方向を法線とする断面において、スリット２２の長手方向に略直交する方向の接触子２１のバネ定数をスリット２２の長手方向の接触子２１のバネ定数より大きくした構成である。
【００６２】
具体的には、接触子２１は、スリット２２より突出する方向を法線とする断面において、スリット２２の長手方向の幅ｘよりも長手方向に直交する方向の幅ｙを広くした構成である。
【００６３】
この構成により、接触子２１がスリット２２の長手方向に略直交する方向へ曲がり難くなる。よって、接触子２１が支持部１２のスリット２２間の中間部１２ａ下面に潜り込むことはなく、後頭部支持体１１は、駆動部１４の力、弾性部１８の力を効率的に接触子２１へ伝えることができる。
【００６４】
もしも、接触子２１が中間部１２ａ下面に潜り込むと、接触子２１と支持部１２との間が擦れてしまう。場合によっては、接触子２１の往復移動ができない場合もある。
【００６５】
なお、接触子２１の幅ｘよりも幅ｙを広くしなくとも、材質等を工夫して、スリットの長手方向に略直交する方向のバネ定数をスリットの長手方向より大きくした構成としても、後頭部支持体１１は同様の効果を得られる。
【００６６】
（実施の形態２）
図８は、本実施の形態２における後頭部支持体５１の概略断面図である。
【００６７】
以下本発明の実施の形態２について、実施の形態１と異なる点について図面を参照しながら説明する。
【００６８】
図８に示すように、後頭部支持体５１は、スリット２２の長手方向の略直角方向（矢印Ｂ）において、摺動部５３を支持部と平行な凹形状として、複数の接触子５２は、スリット２２より突出する方向の長さｚを同一とした構成である。具体的には、接触子５２が上面に設けられることで摺動部５３を構成する基底部５４を、凹形状とする。そして、凹形状となった基底部５４の上面に長さｚを同一とした複数の接触子５２を設ける。
【００６９】
この構成により、複数の接触子５２は、突出する方向のバネ定数は同一になるので、複数ある接触子が後頭部または首に加える力は均一となり、後頭部または首を均一に擦ることができる。
【００７０】
（実施の形態３）
図９（ａ）、（ｂ）は、本実施の形態３における後頭部支持体６１の概略断面図である。図９（ａ）は頭部を載せていない状態の概略断面図、図９（ｂ）は頭部を載せた状態の概略断面図である。
【００７１】
以下本発明の実施の形態３について、実施の形態１と異なる点について図面を参照しながら説明する。
【００７２】
図９（ａ）に示すように、後頭部支持体６１は、当接して駆動部６４が上方へ移動することを止める係止部６２を備え、係止部６２は弾性部１８が自然長より短くなる位置で当接した構成である。
【００７３】
詳細には、駆動部６４は、可動端２３、固定端２４、および、固定端２４の下部に固定したＬ字型の延長端６３を有する。また、延長端６３の先端と、Ｌ字型をした係止部６２の先端とが、鉛直方向に対向する。そして、弾性部１８が自然長より短い状態で、弾性部１８の復元力により駆動部６４に上方へ移動する力が加わっても、駆動部６４が上方に動かないように、係止部６２は、先端を延長端６３の先端に上方より当接する。
【００７４】
図９（ｂ）に示すように、頭部４１を後頭部支持体６１に載せると、頭部４１の重さに押されて、駆動部６４は下方へ移動する。この時、当接していた延長端６３の先端と、Ｌ字型をした係止部６２の先端とが離れ、弾性部１８の復元力により駆動部６４は上方へ移動する力が加わる。
【００７５】
この構成により、頭部を接触子２１に接触させていない状態であっても、係止部６２より弾性部１８に下方へ押さえる力が働いているため、頭部が接触子２１に当接した際、まずは、接触子２１の弾性変形により接触子２１の復元力のみが発生する。弾性部１８と接触子２１の合成バネ定数より、接触子２１のみのバネ定数の方が大きいので、少ない変位で頭部を支える復元力が発生するため、後頭部支持体６１は、所定の復元力を得るのに上下のストロークが小さく済む。
【００７６】
ここで、係止部６２を持たない実施の形態１における後頭部支持体１１と比較すると、後頭部支持体６１は、頭部４１を支えるのに小さい沈み込み（変位ｄ）で頭部を支えることができる。そのため、後頭部支持体６１に頭部を載せた被洗髪者は、小さな上下のストロークで後頭部支持体６１に頭部を心地良く載せることができる。
【００７７】
図１０は、本実施の形態３における後頭部支持体６１の復元力Ｆと変位ｄの関係を示す図である。
【００７８】
図１０に示すように、後頭部支持体６１は、接触子２１の後頭部との当接箇所の変位ｄ１まで、接触子２１のバネ定数Ｋ１に応じて復元力ｆ１を発生する。そして、延長端６３の先端と係止部６２の先端が離れる変位ｄ１より大きくなると、接触子２１のバネ定数Ｋ１と弾性部１８のバネ定数Ｋ２を合成したバネ定数で復元力ｆ２を発生する。
【００７９】
このように実施の形態１における後頭部支持体１１よりも、実施の形態４の後頭部支持体６１は、小さな変位Ｄで、大きな復元力Ｆを発生することができる。例えば、後頭部支持体１１は復元力ｆ２を発生するのに変位ｄ３必要であるのに対し、後頭部支持体６１は復元力ｆ２を発生するのに変位ｄ２で済む。
【００８０】
（実施の形態４）
図１１は、本実施の形態４における後頭部支持体７１の側面図であり、図１２（ａ）（ｂ）は、本実施の形態４における後頭部支持体７１を示す図で、図１２（ａ）は概略断面図であり、図１２（ｂ）は要部断面図である。なお、図１２（ｂ）の要部断面図は、図１２（ａ）の領域Ｅに示す後頭部支持体７１の断面図の拡大図である。
【００８１】
以下本発明の実施の形態４について、実施の形態１と異なる点について図面を参照しながら説明する。
【００８２】
図１１、図１２（ａ）、（ｂ）に示すように、後頭部支持体７１は、鉛直方向に伸縮する高さ調整台７２を備え、ベース部１６を伸縮部７３の上部に固定した構成である。なお、高さ調整台７２は伸縮部７３および伸縮部７３を上面に固定した基台部７４を有する。そして高さ調整台７２に設けた調整ダイヤル（図示せず）を回転すると、高さ調節台７２は伸縮部７３の鉛直方向に伸縮する。このように、ベース部１６を下方で支える高さ調整台７２を設けることで、後頭部支持体７１は、頭部形状に応じて高さを変えることができるため頭の載せ心地を良くすることができる。
【００８３】
また、防水カバー７６を取り付けるために後頭部支持体７１は、摺動部１３と基台部７４の間の空間を覆う防水カバー７６と、ベース部１６に固定した中心にネジ穴を有する突出部７７と、を備える。ベース部１６は、防水カバー７６に覆われている。
【００８４】
さらに、防水カバー７６の貫通穴７８より突出した突出部７７に固定する固定ナット７９と、フレーム部１７の取付け穴を介して突出部７７のネジ穴に固定する固定ネジ８０と、を備える。なお、固定ナット７９と防水カバー７６との間にはワッシャ８１を介在する。
【００８５】
そして、防水カバー７６をベース部１６および固定ナット７９の間で挟み、フレーム部１７を突出部７７および固定ネジ８０との間で挟む構成である。
【００８６】
この構成により、後頭部支持体７１は、フレーム部１７と防水カバー７６とを独立して突出部７７を介してベース部１６に固定することができる。
【００８７】
もしも、防水カバー７６およびフレーム部１７が、ベース部１６に固定ネジ８０で締め付けて固定されると、防水カバー７６は弾性体であるために、フレーム部１７はベース部１６に対して不安定に支持される。結果、フレーム部１７に支持される支持部１２も不安定となってしまう。また、フレーム部１７をベース部１６に固定するため、フレーム部１７とベース部１６の間に防水カバー７６が強く締め付けられて、弾性体である防水カバー７６が劣化しやすくなる。
【００８８】
よって、ベース部１６に固定した突出部７７に、防水カバー７６を締め付けすぎることなく固定するとともにフレーム部１７を強固に固定することができるので、被洗髪者の後頭部または首を安定して支え且つ防水カバーの劣化を防ぐことができる。
【産業上の利用可能性】
【００８９】
本発明の後頭部支持体および自動洗髪装置は、後頭部または首を支えるとともに摩擦を与えて擦ることができるので、頭皮マッサージや頭髪洗浄を行う医療や美容などの分野で有用である。
【符号の説明】
【００９０】
１１，５１，６１，７１  後頭部支持体
１２    支持部
１２ａ  中間部
１３，１３ａ，１３ｂ，１３ｃ，１３ｄ，１３ｅ，１３ｆ，５３  摺動部
１４，６４    駆動部
１５    ガイド部
１６    ベース部
１７    フレーム部
１８    弾性部
２１，２１ａ，２１ｂ，２１ｃ，５２  接触子
２２    スリット
２３    可動端
２４    固定端
２５，７６  防水カバー
２６，５４  基底部
２７    第１側面
２９    第２側面
３０    自動洗髪装置
３１    洗髪槽
３２    一対のアーム
３３    接触部
３４    回動パイプ
３５    ノズル
３６    回転軸
３７    凹部
３８    多関節パイプ
４１    頭部
４２    後頭部側面
６２    係止部
６３    延長端
７２    高さ調整台
７３    伸縮部
７４    基台部
７７    突出部
７８    貫通穴
７９    固定ナット
８０    固定ネジ
８１    ワッシャ
【図１】
0005582067.tif 000002
【図２】
0005582067.tif 000003
【図３】
0005582067.tif 000004
【図４】
0005582067.tif 000005
【図５】
0005582067.tif 000006
【図６】
0005582067.tif 000007
【図７】
0005582067.tif 000008
【図８】
0005582067.tif 000009
【図９】
0005582067.tif 000010
【図１０】
0005582067.tif 000011
【図１１】
0005582067.tif 000012
【図１２】
0005582067.tif 000013
【図１３】
0005582067.tif 000014